(57)【要約】【課題】通話機能付き携帯端末において、簡単な構造で、使用者が通話時においてもレシーバ音孔を耳の位置に適切に移動させやすくする。【解決手段】平板状をなす携帯端末１であって、携帯端末１の第一主面５に設けられ、音が出力される音孔７と、携帯端末１における第一主面５の反対側の第二主面６側に設けられ、第一主面５の音孔７に対応する箇所に位置するとともに、触覚によって認識可能な印部１０と、を有する携帯端末１を提供する。【選択図】図２
2014093706.tif 000002
【特許請求の範囲】
【請求項１】
平板状をなす携帯端末であって、
前記携帯端末の第一主面に設けられ、音が出力される音孔と、
前記携帯端末における前記第一主面の反対側の第二主面側に設けられ、前記第一主面の前記音孔に対応する箇所に位置するとともに、触覚によって認識可能な印部と、を有することを特徴とする携帯端末。
【請求項２】
前記携帯端末は、前記携帯端末の少なくとも前記第二主面を覆う保護カバーを有し、
前記印部は、前記保護カバーに設けられていることを特徴とする請求項１に記載の携帯端末。
【請求項３】
前記印部は、突起又はくぼみであることを特徴とする請求項１又は請求項２に記載の携帯端末。
【発明の詳細な説明】
【技術分野】
【０００１】
本発明は、携帯端末に係り、特に通話する際の利便性を向上させた携帯端末に関する。
【背景技術】
【０００２】
スマートフォンなど携帯情報端末は、その形状が、フィーチャー・フォンなどと呼ばれる携帯電話とは異なり、前面に大きなディスプレイを配置した長方形型の平らな形状を持つものが多く、レシーバ音孔（スピーカ部）についても平らな面に音孔だけが開いているものが多い。よって、レシーバ音孔の位置がわかりにくく、耳当てが適切にできずに、通話時、相手の音声が聞き取りにくくなる場合があった。
【０００３】
レシーバ音孔の位置を使用者の耳の位置に適切に導く技術として、特許文献１に記載されているような携帯端末が知られている。この携帯端末は、レシーバ音孔が設けられた位置の背面位置にスイッチが設けられ、スイッチを押すと、通話音声とは別の、開口部位置確認用トーンがレシーバ音孔より出力されるものである。
【先行技術文献】
【特許文献】
【０００４】
【特許文献１】国際公開第２００７／０９６９３３号
【発明の概要】
【発明が解決しようとする課題】
【０００５】
しかしながら、特許文献１に記載の携帯端末は、携帯端末の対面にスイッチを設けるとともに、スイッチの押下により開口部位置確認用トーンを出力する機能を追加する必要があり、容易にレシーバ音孔の位置を確認するための機能を追加することができなかった。
【０００６】
この発明は、このような事情を考慮してなされたもので、その目的は、簡単な構造で、使用者が通話時においてもレシーバ音孔を耳の位置に移動させることができる携帯端末を提供することにある。
【課題を解決するための手段】
【０００７】
上記の目的を達成するために、この発明は以下の手段を提供している。
本発明の携帯端末は、平板状をなす携帯端末であって、前記携帯端末の第一主面に設けられ、音が出力される音孔と、前記携帯端末における前記第一主面の反対側の第二主面側に設けられ、前記第一主面の前記音孔に対応する箇所に位置するとともに、触覚によって認識可能な印部と、を有することを特徴とする。
【発明の効果】
【０００８】
本発明によれば、簡単な構造で、使用者が通話時においてもレシーバ音孔を耳の位置に適切に移動させることができる。
【図面の簡単な説明】
【０００９】
【図１】本発明の実施形態に係る携帯端末の外観を示す斜視図である。
【図２】図１のＡ−Ａ断面図である。
【図３】印部をくぼみとした携帯端末の図２に対応した断面図である。
【図４】本発明の実施形態の別形態に係る携帯端末の図２に対応した断面図である。
【発明を実施するための形態】
【００１０】
本実施形態の携帯端末１は、通話機能付き携帯端末、所謂携帯電話であり、移動体通信システムの端末である。
図１、及び図２に示すように、本実施形態の携帯端末１は平板状をなしており、外郭をなすケーシング２（筐体）と、携帯端末１の一面をなす第一主面５（前面、表側）に設けられたディスプレイ３（表示装置）とを有している。ケーシング２の内部には、制御基板（図示せず）などが内蔵されている。
【００１１】
携帯端末１は、平面視において矩形をなし、人の手によって保持・操作されるのに適した大きさとされている。ディスプレイ３は、所謂タッチパネル式の液晶パネルであり、入力装置を兼ねた表示装置である。即ち、使用者は、ディスプレイ３上の表示を押すことによって、携帯端末１を操作することが可能とされている。
【００１２】
図示しないが、携帯端末１の第一主面５上であって、ディスプレイ３の周囲、及び第一主面５の反対側である第二主面６（背面、裏側）には、適宜操作キー（ボタン）や、タッチパッドのような平板状のセンサー、カメラ、赤外線通信ポートなどの入出力装置を配置してもよい。
【００１３】
また、図示しないが、携帯端末１の側面にも例えば音量を調整するための操作キーを配置してもよい。さらに、図示しないが、携帯端末１には、外部機器との通信を可能とするケーブルを接続するためのコネクタを設けてもよい。
【００１４】
また、携帯端末１には、バッテリー（二次電池）が内蔵されている。バッテリーは、使用者により交換可能であり、第二主面６には、バッテリー交換用のフタが設けられている。なお、フタは必ずしも設ける必要はなく、バッテリー使用者によるバッテリー交換を付加とする構成としてもよい。
【００１５】
また、上記操作キーなどを配置する場合は、ディスプレイ３はタッチパネル式に限ることはなく、入力装置を有さない液晶パネルとしてもよい。また、ディスプレイ３は、液晶パネルに限らず、携帯機器の薄型化を実現できるものであればよい。例えば、液晶パネルの代替として、有機ＥＬ（エレクトロルミネッセンス）ディスプレイ３を採用することもできる。
【００１６】
第一主面５及び第二主面６は、略平坦なフラット形状に形成されている。即ち、第一主面５を構成するディスプレイ３とケーシング２とは、同一平面をなすように形成されている。また、第一主面５と第二主面６とは、略平行となるように形成されている。
【００１７】
また、ディスプレイ３とケーシング２とは、別体とする必要はなく、例えば、携帯端末１の第一主面５の全面が一体のガラスによって形成され、ガラスの一部がディスプレイ３のガラス面を兼ねる構成としてもよい。
【００１８】
携帯端末１の第一主面５には、通話時の音声（音）が出力されるレシーバ音孔７（スピーカ）が設けられている。具体的にはレシーバ音孔７はディスプレイ３の上方（図１の上方）であって、携帯端末１の幅方向の略中央に設けられている。レシーバ音孔７は、平面をなすケーシング２の第一主面５上に円形の孔と、その内部に設けられたスピーカユニット（図示せず）によって構成されている。レシーバ音孔７の形状は、上述したものに限らず、長円形状や矩形形状としてもよい。
【００１９】
また、第一主面５上のディスプレイ３の下方であって、携帯端末１の幅方向の略中央には、通話時の音声が入力されるマイク８が設けられている。マイク８は、使用者がレシーバ音孔７に耳を当てた際に、使用者の口付近に配置されれば必ずしもこの位置に設ける必要はなく、携帯端末１の側面に設けてもよい。
【００２０】
そして、本実施形態の携帯端末１の第二主面６上であって、第一主面５のレシーバ音孔７に対応する箇所には、触覚によって認識可能な印部１０が設けられている。即ち、第一主面５のレシーバ音孔７と同じ位置の第二主面６側に使用者の持ち手で触れるとわかるように、印部１０が設けられている。
【００２１】
詳しくは、印部１０は、携帯端末１を平面視した際に、レシーバ音孔７と同位置に形成されている半球状の突起である。印部１０としては、上述したような半球状の突起に限ることはなく、使用者が触覚によって認識可能であれば、どのような形態でもよい。例えば、印部１０は、複数の微小な突起によって形成されてもよいし、三角錐形状、直方体形状としてもよい。
【００２２】
また、印部１０は、突起ではなくくぼみとしてもよい。即ち、図３の携帯端末１Ｂに示すように、レシーバ音孔７に対応する箇所に形成された、凹状のくぼみとしてもよい。
【００２３】
次に、本実施形態の携帯端末１の作用について説明する。
使用者は、着信があり、それに応答し、通話をするために、レシーバ音孔７を耳に当てる。このとき、適切にレシーバ音孔７を耳に当てることができない場合に、携帯端末１を保持する持ち手で携帯端末１の背面である第二主面６を触り、印部１０を探す。印部１０を認識できたら、その場所に耳を移動させることで、レシーバ音孔７から出力される相手の音声が聞こえるようになる。即ち、印部１０が、耳をレシーバ音孔７の適切な位置に誘導するガイドとなる。
【００２４】
上記実施形態によれば、携帯端末１の第二主面６上であってレシーバ音孔７に対応する箇所に触覚によって認識可能な印部１０が設けられていることによって、使用者が、印部１０を触りつつレシーバ音孔７を耳の位置に移動させやすくなる。即ち、携帯端末１の持ち手で、レシーバ音孔７位置を探すことができるようになるため、通話時においてもレシーバ音孔７位置を視認する必要なく、耳当て場所を適切に移動できるようになる。
【００２５】
次に、本実施形態の別形態の携帯端末１Ｃについて説明する。
本形態の携帯端末１Ｃは、図４に示すように、携帯端末１の第二主面６を覆って保護する保護カバー１１を有している。そして、本形態の携帯端末１の第二主面６には、印部１０は設けられておらず、印部１０は、保護カバー１１上であって、レシーバ音孔７に対応する箇所に設けられている。
図４に示す印部１０は突起であるが、図３と同様にくぼみとしてもよい。
【００２６】
上記形態によれば、印部１０が設けられていない携帯端末１に対しても、保護カバー１１を追加することによって、印部１０を追加することができる。また、使用者の好みによって、印部１０の形状を変更することが可能となる。
【００２７】
なお、本発明の技術範囲は上記の実施形態に限定されるものではなく、本発明の趣旨を逸脱しない範囲において、種々の変更を加えることが可能である。
例えば、第二主面６は平坦である必要はなく、例えば、丸みを帯びた形状（ラウンド形状）としてもよい。即ち、使用者の指が第二主面６に触れた際、印部１０の位置を認識することができればよい。
【符号の説明】
【００２８】
１  携帯端末
２  ケーシング
３  ディスプレイ
５  第一主面
６  第二主面
７  レシーバ音孔（音孔）
１０  印部
１１  保護カバー
【図１】
2014093706.tif 000003
【図２】
2014093706.tif 000004
【図３】
2014093706.tif 000005
【図４】
2014093706.tif 000006